(57)【要約】      （修正有）【課題】環境に配慮した蓋体の散乱を防止できると共に、食し易さ、注ぎ易さを有する安価なボトル容器を提供する。【解決手段】ボトル本体１１の飲み口部に螺着される蓋体１２を備えたボトル容器１０において、ボトル本体１１の底部を除く側壁に蓋体１２を嵌合させて装着可能な凹状取り付け部１６を有すると共に、凹状取り付け部１６の深さが最大箇所で蓋体１２の高さの１／３〜２／３の間からなる。このボトル容器１０は、凹状取り付け部１６の底周縁外周側に深さを設けるリング状の溝を有するのがよい。【選択図】図１
0003145212.tif 000002
【実用新案登録請求の範囲】
【請求項１】
ボトル本体の飲み口部に螺着される蓋体を備えたボトル容器において、
前記ボトル本体の底部を除く側壁に前記蓋体を嵌合させて装着可能な凹状取り付け部を有すると共に、該凹状取り付け部の深さが最大箇所で前記蓋体の高さの１／３〜２／３の間からなることを特徴とするボトル容器。
【請求項２】
請求項１記載のボトル容器において、前記凹状取り付け部の底周縁外周側に深さを設けるリング状の溝を有することを特徴とするボトル容器。
【考案の詳細な説明】
【技術分野】
【０００１】
本考案は、ジュース、炭酸飲料等の清涼飲料水や、水等の飲料物が充填されたペットボトル等のボトル容器に関し、特に、開栓した蓋体を一時的に収納したり、開栓した蓋体をポイ捨てや、紛失によって散乱するのを防止することができるボトル容器に関する。
【背景技術】
【０００２】
従来のボトル容器は、通常、ペット（ＰＥＴ：ポリエチレンテレフタレート）等の樹脂製からなるボトル本体の飲み口部に螺着されるプラスチック等の樹脂製からなる蓋体を備えた構造、あるいは、アルミニウムや、鉄等の金属製ボトル等からなるボトル本体の飲み口部に金属製等からなる蓋体を備えた構造となっている。そして、ボトル容器に充填されている飲料物を食す時には、蓋体を旋回開栓してボトル本体の飲み口部に直接口を当接させて食したり、飲み口部から一旦飲料物をコップ等に注いで食している。そして、空になったボトル容器は、近年の資源のリサイクル運動に呼応して回収が進められている。
【０００３】
しかしながら、ボトル本体の飲み口部から外される蓋体は、これを収納しておくところがないことからの置き忘れや、脱落によって紛失したり、ポイ捨て等によって道端等に散乱し、著しく環境を悪化させる要因を作り出している。
【０００４】
この問題に対応できる従来のボトル容器には、さまざまなものが提案されている。例えば、特開２０００−３２７０１９号公報において、簡易キャップホルダー付きボトルという名称で開示されているボトル容器には、ボトル本体、もしくはキャップである蓋体に、例えば、粘着性の特性を持つキャップホルダーを設け、このキャップホルダーによって蓋体をボトル本体に取り付けることが提案されている。また、上記の特開２０００−３２７０１９号公報においては、ボトル本体の底部や、飲み口近傍に機械的な把持機能を持たせて蓋体を取り付けることが提案されている（例えば、特許文献１参照）。
【０００５】
また、従来のボトル容器には、ボトル本体の飲み口部に螺着される蓋体を備えたボトル容器において、蓋体がボトル本体の飲み口部の首部や、飲み口部自体に着脱自在、且つ、回動自在に取り付けられる支持リングと、支持リングから延設するヒンジ部を介して連結するように形成され、蓋体の散乱を防止できるものが提案されている（例えば、特許文献２、特許文献３参照）。
【０００６】
【特許文献１】特開２０００−３２７０１９号公報
【特許文献２】特開２００１−７２１２０号公報
【特許文献３】特開２００１−１５１２６１号公報
【考案の開示】
【考案が解決しようとする課題】
【０００７】
しかしながら、前述したような従来のボトル容器は、未だ解決すべき次のような問題がある。
（１）特開２０００−３２７０１９号公報で開示されるようなボトル容器は、ボトル本体、もしくは蓋体に例えば、粘着性の特性や、機械的な把持機能を持つキャップホルダーを設け、蓋体をこのキャップホルダーでボトル本体に取り付けているので、ボトル本体や、蓋体に特段のキャップホルダーを設ける必要があり、ボトル容器のコストアップとなっている。また、ボトル本体、もしくは蓋体に例えば、粘着性の特性を持たせる場合には、粘着材が脱落しやすくボトル本体への貼り付けができなくなっている。
（２）特開２００１−７２１２０号公報や、特開２００１−１５１２６１号公報で開示されるようなボトル容器は、ボトル本体の飲み口部に取り付けられる支持リングと、支持リングから延設するヒンジ部を介して連結する蓋体を有するので、確かに蓋体の脱落や、紛失や、ポイ捨て等を防止して、蓋体が道端等に散乱し、著しく環境を悪化させるのを防止することができるものの、ボトル本体の飲み口部に連結するような構成からなる蓋体付きのボトル容器が高価なものとなっている。また、支持リングと、支持リングから延設するヒンジ部を介して連結する蓋体を有するボトル容器は、飲料物をボトル本体の飲み口部に口を当接させて直接食する場合や、飲料物をコップ等に注ぐ場合にヒンジ部や、蓋体が邪魔になり食しずらくなったり、注ぎずらくなっている。
【０００８】
本考案は、かかる事情に鑑みてなされたものであって、環境に配慮した蓋体の散乱を防止できると共に、食し易さ、注ぎ易さを有する安価なボトル容器を提供することを目的とする。
【課題を解決するための手段】
【０００９】
前記目的に沿う本考案に係るボトル容器は、ボトル本体の飲み口部に螺着される蓋体を備えたボトル容器において、ボトル本体の底部を除く側壁に蓋体を嵌合させて装着可能な凹状取り付け部を有すると共に、凹状取り付け部の深さが最大箇所で蓋体の高さの１／３〜２／３の間からなる。
【００１０】
ここで、上記のボトル容器は、凹状取り付け部の底周縁外周側に深さを設けるリング状の溝を有するのがよい。
【考案の効果】
【００１１】
請求項１又はこれに従属する請求項２記載のボトル容器は、ボトル本体の底部を除く側壁に蓋体を嵌合させて装着可能な凹状取り付け部を有すると共に、凹状取り付け部の深さが最大箇所で蓋体の高さの１／３〜２／３の間からなるので、凹状取り付け部をボトル本体の底部を除く側壁に確保することで、開栓した蓋体を容易に装着できると共に、凹状取り付け部から蓋体を出っ張らして装着させても飲料途中にテーブル等に倒壊させることなく安全に載置でき、更には飲料途中で閉栓する場合には凹状取り付け部の深さが最大箇所で蓋体の高さの１／３〜２／３と蓋体が凹状取り付け部から飛び出しており、蓋体の飛び出し部を把持して容易に凹状取り付け部から取り外して閉栓できる。また、開栓した蓋体は、凹状取り付け部に嵌合して装着させることができるので、蓋体の脱落や、紛失や、ポイ捨て等を防止できて、蓋体が道端等に散乱し、著しく環境を悪化させるのを防止することができる。更に、ボトル本体には、飲料物をボトル本体の飲み口部に口を当接させて直接食する場合や、飲料物をコップ等に注ぐ場合に邪魔になるものがないので、飲料物を食しずらくなったり、注ぎずらくなるのを防止することができる。
【００１２】
特に、請求項２記載のボトル容器は、凹状取り付け部の底周縁外周側に深さを設けるリング状の溝を有するので、通常の蓋体の開口側周縁に有する出っ張り部を溝に嵌め込むことで、蓋体の脱落を強固に防止させることができ、蓋体が道端等に散乱し、著しく環境を悪化させるのを防止することができる。
【考案を実施するための最良の形態】
【００１３】
続いて、添付した図面を参照しつつ、本考案を具体化した実施するための最良の形態について説明し、本考案の理解に供する。
ここに、図１は本考案の一実施の形態に係るボトル容器の説明図、図２は同ボトル容器の凹状取り付け部の拡大断面図である。
【００１４】
図１に示すように、本考案の一実施の形態に係るボトル容器１０は、ボトル本体１１がペット（ポリエチレンテレフタレート）等を用いて延伸吹き込み成型加工等で得られる軽量で、強度が高く、安価な樹脂製からなっている。また、このボトル容器１０は、蓋体１２が樹脂鋳込み成型加工等で得られる冠状のプラスチック製からなっている。あるいは、ボトル容器１０は、ボトル本体１１や、蓋体１２が軽量で、強度の高いアルミニウムや、スチール等からなる金属製からなっている。これらのボトル容器１０には、ボトル本体１１の内部に清涼飲料水や、水等の飲料物が充填され、蓋体１２をボトル本体１１の飲み口部に螺着させることで飲料物が封入された状態となっている。そして、ボトル容器１０に充填されている飲料物は、蓋体１２を旋回開栓してボトル本体１１の飲み口部に直接口を当接させて飲料物を食するようにしたり、飲み口部から一旦飲料物をコップ等に注いで食するようにしている。
【００１５】
上記のボトル容器１０は、蓋体１２をボトル本体１１から最初に開栓するときには、蓋体１２がボトル本体１１に部分的に点接合する仮固定された状態であり、蓋体１２を力を入れて旋回させることで点接合部分が切断解放されるようになっている。蓋体１２は、この点接合部分を形成するために、通常、開口側周縁に出っ張り部１３を設けている。また、蓋体１２は、この出っ張り部１３によって、蓋体１２を力を入れて旋回させたとしても蓋体１２の形状が維持できているようになっている。
【００１６】
このボトル容器１０は、ボトル本体１１の底部１４を除く側壁１５に開栓した蓋体１２を嵌合させて装着が可能な凹状取り付け部１６を有している。ボトル本体１１の飲み口部から旋回開栓された蓋体１２は、この凹状取り付け部１６に嵌合して挿入させることで容易に取り付けができるようになっている。この凹状取り付け部１６は、ボトル本体１１の底部１４を除く側壁１５に設けることで、飲料物を零すことなく蓋体１２を装着させることができる。また、凹状取り付け部１６は、これを設ける位置をボトル本体１１の底部１４を除く側壁１５に設けることに限定することで、飲料途中のボトル容器１０を安心してテーブル等に載置させることができる。更に、凹状取り付け部１６は、これを設ける数を特に限定するものではないが、側壁１５の複数箇所に設けることで、ボトル本体１１の移動を少なくして蓋体１２を装着させることができ、飲料物の落下を防止することができる。なお、ボトル容器１０は、凹状取り付け部１６に装着された蓋体１２を把持して引っ張り出すことで容易に取り外しができるようになっている。これにより、ボトル容器１０のボトル本体１１内の飲料物は、蓋体１２を紛失させることなく、しかも、衛生的に閉栓させることができる。
【００１７】
また、上記のボトル容器１０は、ボトル本体１１の底部１４を除く側壁１５に凹状取り付け部１６を有すると共に、この凹状取り付け部１６の深さが最大箇所で蓋体１２の高さの１／３〜２／３の間からなっている。ボトル容器１０は、ボトル本体１１の底部１４を除く側壁１５の表面の殆どの箇所が曲面となっており、このような表面に設けた凹状取り付け部１６の深さが測定箇所によって異なることになる。そこで、ここでの凹状取り付け部１６の深さは、最大箇所の部分として定義付けしている。凹状取り付け部１６の深さが最大箇所で蓋体１２の高さの１／３を下まわる場合には、蓋体１２を凹状取り付け部１６に嵌合させることが難しくなる。また、凹状取り付け部１６の深さが最大箇所で蓋体１２の高さの２／３を上まわる場合には、凹状取り付け部１６に嵌合している蓋体１２を把持して取り出すことが難しくなる。
【００１８】
なお、上記のボトル容器１０は、通常、蓋体１２の外周壁面１７が略垂直に形成されているので、凹状取り付け部１６の内周壁面１８も略垂直とすることで開栓した蓋体１２を上、下どちらの方向からでもを凹状取り付け部１６に装着できるようになっている。
【００１９】
図２に示すように、上記のボトル容器１０は、ボトル本体１１の底部１４を除く側壁１５に有する凹状取り付け部１６の底周縁外周側に深さを設けるリング状の溝１９を有しているのがよい。このボトル容器１０は、凹状取り付け部１６に蓋体１２を、この蓋体１２の開口側周縁に設けられている出っ張り部１３側から挿入させて押圧することで、上記の溝１９には、蓋体１２の開口側周縁に設けられている出っ張り部１３が嵌着されることとなる。この嵌着によって、ボトル本体１１には、蓋体１２を強固に取り付けることができ、蓋体１２の脱落や、紛失や、ポイ捨て等を防止できて、蓋体１２が道端等に散乱し、著しく環境を悪化させるのを防止することができる。
【産業上の利用可能性】
【００２０】
本考案のボトル容器は、飲料途中の蓋体の取り付け、取り外し、飲料後の蓋体の脱落や、紛失や、ポイ捨て等を防止できる飲料用の容器として、ジュース、炭酸飲料等の清涼飲料水や、水等を収納し、開栓して飲料物を食するためのペットボトルや、スチールボトル等に用いることができる。
【図面の簡単な説明】
【００２１】
【図１】本考案の一実施の形態に係るボトル容器の説明図である。
【図２】同ボトル容器の凹状取り付け部の拡大断面図である。
【符号の説明】
【００２２】
１０：ボトル容器、１１：ボトル本体、１２：蓋体、１３：出っ張り部、１４：底部、１５：側壁、１６：凹状取り付け部、１７：外周壁面、１８：内周壁面、１９：溝
【図１】
0003145212.tif 000003
【図２】
0003145212.tif 000004